(57)【要約】【課題】設備投資を抑制しつつ、多様な設置環境に適応可能なコネクタを提供することを目的とする。【解決手段】コネクタ１は、コネクタ本体１００と、コネクタ本体１００と回路基板との間に介在するコネクタ中継体２００と、を備える。コネクタ本体１００は、第一方向Ｄ１において互いに対向する導電性の第一端子１１０及び第二端子１２０と、所定のコネクタを電気的に接続可能な第一接続部１０２と、コネクタ中継体２００と電気的に接続される第二接続部１０３と、を有する。コネクタ中継体２００は、第一方向Ｄ１において互いに対向する導電性の第一中継用端子２１０及び第二中継用端子２２０と、第二接続部１０３に接続され、第一中継用端子２１０を第一方向Ｄ１の一方側から第一端子１１０に接触させ、第二中継用端子２２０を第一方向Ｄ１の他方側から第二端子１２０に接触させる中継用接続部２０２と、を有する。【選択図】図３
2019029268.tif 000002
【特許請求の範囲】
【請求項１】
コネクタ本体と、
前記コネクタ本体と回路基板との間に介在するコネクタ中継体と、を備え、
前記コネクタ本体は、
第一方向において互いに対向する導電性の第一端子及び第二端子と、
所定のコネクタを電気的に接続可能な第一接続部と、
前記コネクタ中継体と電気的に接続される第二接続部と、を有し、
前記コネクタ中継体は、
前記第一方向において互いに対向する導電性の第一中継用端子及び第二中継用端子と、
前記第二接続部に接続され、前記第一中継用端子を前記第一方向の一方側から前記第一端子に接触させ、前記第二中継用端子を前記第一方向の他方側から前記第二端子に接触させる中継用接続部と、を有するコネクタ。
【請求項２】
前記コネクタ本体は、
前記第一方向に直交する第二方向に並ぶ複数の前記第一端子と、
前記第二方向に並ぶ複数の前記第二端子と、
前記複数の第一端子と前記複数の第二端子との間に配置された導電性の板状部材からなるグランドプレートと、
前記グランドプレートを包んで前記複数の第一端子及び前記複数の第二端子をそれぞれ絶縁状態で保持する保持部と、を有し、
前記コネクタ中継体は、
前記第二方向に並ぶ複数の前記第一中継用端子と、
前記第二方向に並ぶ複数の前記第二中継用端子と、
導電性のグランド端子と、
前記複数の第一中継用端子、前記複数の第二中継用端子、及び前記グランド端子をそれぞれ絶縁状態で保持する中継用保持部と、を有し、
前記中継用接続部は、前記複数の第一中継用端子を前記第一方向の一方側から前記複数の第一端子にそれぞれ接触させ、前記複数の第二中継用端子を前記第一方向の他方側から前記複数の第二端子にそれぞれ接触させ、前記グランド端子を前記グランドプレートに接触させる、請求項１記載のコネクタ。
【請求項３】
前記グランド端子は、前記複数の第一中継用端子及び前記複数の第二中継用端子が対向する方向で重なる領域の外に配置されており、
前記グランドプレートは、前記複数の第一端子及び前記複数の第二端子が対向する方向で重なる領域から張り出した張出部を有し、
前記中継用接続部は、前記グランド端子を前記張出部に接触させる、請求項２記載のコネクタ。
【請求項４】
前記グランド端子は、前記第二方向において前記複数の第一中継用端子及び前記複数の第二中継用端子よりも外に配置されており、
前記張出部は、前記第二方向において前記複数の第一端子及び前記複数の第二端子よりも外に張り出している、請求項３記載のコネクタ。
【請求項５】
第一方向において互いに対向する導電性の第一端子及び第二端子と、
所定のコネクタを電気的に接続可能な第一接続部と、
コネクタ中継体を介して回路基板と電気的に接続される第二接続部と、を備え、
前記コネクタ中継体は、
前記第一方向において互いに対向する導電性の第一中継用端子及び第二中継用端子を備え、
前記第二接続部は、前記第一端子を前記第一方向の一方側から前記第一中継用端子に接触させ、前記第二端子を前記第一方向の他方側から前記第二中継用端子に接触させる、コネクタ本体。
【請求項６】
前記第一方向に直交する第二方向に並ぶ複数の前記第一端子と、
前記第二方向に並ぶ複数の前記第二端子と、
前記複数の第一端子と前記複数の第二端子との間に配置された導電性の板状部材からなるグランドプレートと、
前記グランドプレートを包んで前記複数の第一端子及び前記複数の第二端子をそれぞれ絶縁状態で保持する保持部と、を備え、
前記コネクタ中継体は、
前記第二方向に並ぶ複数の前記第一中継用端子と、
前記第二方向に並ぶ複数の前記第二中継用端子と、
導電性のグランド端子と、
前記複数の第一中継用端子、前記複数の第二中継用端子、及び前記グランド端子をそれぞれ絶縁状態で保持する中継用保持部と、を備え、
前記第二接続部は、前記複数の第一端子を前記第一方向の一方側から前記複数の第一中継用端子にそれぞれ接触させ、前記複数の第二端子を前記第一方向の他方側から前記複数の第二中継用端子にそれぞれ接触させ、前記グランドプレートを前記グランド端子に接触させる、請求項５記載のコネクタ本体。
【請求項７】
前記グランド端子は、前記複数の第一中継用端子及び前記複数の第二中継用端子が対向する方向で重なる領域の外に配置されており、
前記グランドプレートは、前記複数の第一端子及び前記複数の第二端子が対向する方向で重なる領域から張り出した張出部を有し、
前記第二接続部は前記張出部を前記グランド端子に接触させる、請求項６記載のコネクタ本体。
【請求項８】
前記グランド端子は、前記第二方向において前記複数の第一中継用端子及び前記複数の第二中継用端子よりも外に配置されており、
前記張出部は前記第二方向において前記複数の第一端子及び前記複数の第二端子よりも外に張り出している、請求項７記載のコネクタ本体。
【請求項９】
第一方向において互いに対向する導電性の第一中継用端子及び第二中継用端子と、
コネクタ本体と電気的に接続される中継用接続部と、
回路基板と電気的に接続される基板接続部と、を備え、
前記コネクタ本体は、
前記第一方向において互いに対向する導電性の第一端子及び第二端子と、
所定のコネクタを電気的に接続可能な第一接続部と、
前記中継用接続部に接続される第二接続部と、を備え、
前記中継用接続部は、前記第一中継用端子を前記第一方向の一方側から前記第一端子に接触させ、前記第二中継用端子を前記第一方向の他方側から前記第二端子に接触させる、コネクタ中継体。
【請求項１０】
第一方向に直交する第二方向に並ぶ複数の前記第一中継用端子と、
前記第二方向に並ぶ複数の前記第二中継用端子と、
導電性のグランド端子と、
前記複数の第一中継用端子、前記複数の第二中継用端子、及び前記グランド端子をそれぞれ絶縁状態で保持する絶縁性の中継用保持部と、を備え、
前記コネクタ本体は、
前記第二方向に並ぶ複数の前記第一端子と、
前記第二方向に並ぶ複数の前記第二端子と、
前記複数の第一端子と前記複数の第二端子との間に配置された導電性の板状部材からなるグランドプレートと、
前記グランドプレートを包んで前記複数の第一端子及び前記複数の第二端子をそれぞれ絶縁状態で保持する保持部と、を備え、
前記中継用接続部は、前記複数の第一中継用端子を前記第一方向の一方側から前記複数の第一端子にそれぞれ接触させ、前記複数の第二中継用端子を前記第一方向の他方側から前記複数の第二端子にそれぞれ接触させ、前記グランド端子を前記グランドプレートに接触させる、請求項９記載のコネクタ中継体。
【請求項１１】
前記グランド端子は、前記複数の第一中継用端子及び前記複数の第二中継用端子が対向する方向で重なる領域の外に配置されており、
前記グランドプレートは、前記複数の第一端子及び前記複数の第二端子が対向する方向で重なる領域から張り出した張出部を有し、
前記中継用接続部は前記グランド端子を前記張出部に接触させる、請求項１０記載のコネクタ中継体。
【請求項１２】
前記グランド端子は、前記第二方向において前記複数の第一中継用端子及び前記複数の第二中継用端子よりも外に配置されており、
前記張出部は、前記第二方向において前記複数の第一端子及び前記複数の第二端子よりも外に張り出している、請求項１１記載のコネクタ中継体。
【発明の詳細な説明】
【技術分野】
【０００１】
本開示は、コネクタ、コネクタ本体及びコネクタ中継体に関する。
【背景技術】
【０００２】
特許文献１には、回路基板上に搭載されると共に相手側コネクタと嵌合可能なコネクタが開示されている。このコネクタは、ピッチ方向に並ぶ複数の第一コンタクトと、ピッチ方向に並び、ピッチ方向に直交する方向で複数の第一コンタクトに対向する複数の第二コンタクトとを備える。
【先行技術文献】
【特許文献】
【０００３】
【特許文献１】特開２０１７−９１７７４号公報
【発明の概要】
【発明が解決しようとする課題】
【０００４】
回路基板上に搭載されるコネクタの場合、たとえ相手側コネクタが共通であったとしても、回路基板側における多様な設置環境に適応すべく、多様な品ぞろえが求められる。しかしながら、多様な品ぞろえを実現するためには、品種ごとに製造設備が必要となるので、大きな設備投資が必要となる。
【０００５】
本開示は、設備投資を抑制しつつ、多様な設置環境に適応可能なコネクタを提供することを目的とする。
【課題を解決するための手段】
【０００６】
本開示に係るコネクタは、コネクタ本体と、コネクタ本体と回路基板との間に介在するコネクタ中継体と、を備え、コネクタ本体は、第一方向において互いに対向する導電性の第一端子及び第二端子と、所定のコネクタを電気的に接続可能な第一接続部と、コネクタ中継体と電気的に接続される第二接続部と、を有し、コネクタ中継体は、第一方向において互いに対向する導電性の第一中継用端子及び第二中継用端子と、第二接続部に接続され、第一中継用端子を第一方向の一方側から第一端子に接触させ、第二中継用端子を第一方向の他方側から第二端子に接触させる中継用接続部と、を有する。
【０００７】
このコネクタは、所定のコネクタを接続可能なコネクタ本体と、コネクタ中継体とに分離可能である。このため、例えば規格化された所定のコネクタ等に適応させるべきコネクタ本体を共通化しつつ、コネクタ中継体を回路基板における設置環境に応じて変更することができる。コネクタ本体及びコネクタ中継体に分離可能な構造によれば、各々の構造を一体型コネクタ（コネクタ本体及びコネクタ中継体が分離不能なコネクタ）に比較して単純化することが可能である。このため、コネクタ中継体の多品種化は、一体型コネクタの多品種化に比較して少ない設備投資で実現可能である。従って、設備投資を抑制しつつ、多様な設置環境に適応可能なコネクタを提供することができる。
【０００８】
コネクタ本体は、第一方向に直交する第二方向に並ぶ複数の第一端子と、第二方向に並ぶ複数の第二端子と、複数の第一端子と複数の第二端子との間に配置された導電性の板状部材からなるグランドプレートと、グランドプレートを包んで複数の第一端子及び複数の第二端子をそれぞれ絶縁状態で保持する保持部と、を有してもよく、コネクタ中継体は、第二方向に並ぶ複数の第一中継用端子と、第二方向に並ぶ複数の第二中継用端子と、導電性のグランド端子と、複数の第一中継用端子、複数の第二中継用端子、及びグランド端子をそれぞれ絶縁状態で保持する中継用保持部と、を有してもよく、中継用接続部は、複数の第一中継用端子を第一方向の一方側から複数の第一端子にそれぞれ接触させ、複数の第二中継用端子を第一方向の他方側から複数の第二端子にそれぞれ接触させ、グランド端子をグランドプレートに接触させてもよい。
【０００９】
複数の端子と複数の端子とが導電性の板状部材を介して対向する構成の製造には、複数の端子と複数の端子とが他の導電性の部材を介さずに対向する構成の製造に比較して複雑な設備が必要となる傾向がある。複数の端子と複数の端子とが導電性の板状部材を介して対向する構成を、コネクタ本体側に組み込むことにより、コネクタ中継体の多品種化の設備投資をより確実に抑制することができる。
【００１０】
グランド端子は、複数の第一中継用端子及び複数の第二中継用端子が対向する方向で重なる領域の外に配置されていてもよく、グランドプレートは、複数の第一端子及び複数の第二端子が対向する方向で重なる領域から張り出した張出部を有してもよく、中継用接続部は、グランド端子を張出部に接触させてもよい。この場合、複数の第一中継用端子及び複数の第二中継用端子が対向する方向で重なる領域内にグランド端子を配置するのに比較して、コネクタ中継体をより単純な設備で製造可能となるので、コネクタ中継体の多品種化の設備投資をより確実に抑制することができる。
【００１１】
グランド端子は、第二方向において複数の第一中継用端子及び複数の第二中継用端子よりも外に配置されており、張出部は、第二方向において複数の第一端子及び複数の第二端子よりも外に張り出していてもよい。この場合、コネクタ中継体をより単純な設備によって製造可能となるので、コネクタ中継体の多品種化の設備投資をより確実に抑制することができる。
【００１２】
本開示の他の側面に係るコネクタ本体は、第一方向において互いに対向する導電性の第一端子及び第二端子と、所定のコネクタを電気的に接続可能な第一接続部と、コネクタ中継体を介して回路基板と電気的に接続される第二接続部と、を備え、コネクタ中継体は、第一方向において互いに対向する導電性の第一中継用端子及び第二中継用端子を備え、第二接続部は、第一端子を第一方向の一方側から第一中継用端子に接触させ、第二端子を第一方向の他方側から第二中継用端子に接触させる。
【００１３】
第一方向に直交する第二方向に並ぶ複数の第一端子と、第二方向に並ぶ複数の第二端子と、複数の第一端子と複数の第二端子との間に配置された導電性の板状部材からなるグランドプレートと、グランドプレートを包んで複数の第一端子及び複数の第二端子をそれぞれ絶縁状態で保持する保持部と、を備えてもよく、コネクタ中継体は、第二方向に並ぶ複数の第一中継用端子と、第二方向に並ぶ複数の第二中継用端子と、導電性のグランド端子と、複数の第一中継用端子、複数の第二中継用端子、及びグランド端子をそれぞれ絶縁状態で保持する中継用保持部と、を備えてもよく、第二接続部は、複数の第一端子を第一方向の一方側から複数の第一中継用端子にそれぞれ接触させ、複数の第二端子を第一方向の他方側から複数の第二中継用端子にそれぞれ接触させ、グランドプレートをグランド端子に接触させてもよい。
【００１４】
グランド端子は、複数の第一中継用端子及び複数の第二中継用端子が対向する方向で重なる領域の外に配置されていてもよく、グランドプレートは、複数の第一端子及び複数の第二端子が対向する方向で重なる領域から張り出した張出部を有してもよく、第二接続部は張出部をグランド端子に接触させてもよい。
【００１５】
グランド端子は、第二方向において複数の第一中継用端子及び複数の第二中継用端子よりも外に配置されていてもよく、張出部は第二方向において複数の第一端子及び複数の第二端子よりも外に張り出していてもよい。
【００１６】
本開示の更に他の側面に係るコネクタ中継体は、第一方向において互いに対向する導電性の第一中継用端子及び第二中継用端子と、コネクタ本体と電気的に接続される中継用接続部と、回路基板と電気的に接続される基板接続部と、を備え、コネクタ本体は、第一方向において互いに対向する導電性の第一端子及び第二端子と、所定のコネクタを電気的に接続可能な第一接続部と、中継用接続部に接続される第二接続部と、を備え、中継用接続部は、第一中継用端子を第一方向の一方側から第一端子に接触させ、第二中継用端子を第一方向の他方側から第二端子に接触させる。
【００１７】
第一方向に直交する第二方向に並ぶ複数の第一中継用端子と、第二方向に並ぶ複数の第二中継用端子と、導電性のグランド端子と、複数の第一中継用端子、複数の第二中継用端子、及びグランド端子をそれぞれ絶縁状態で保持する絶縁性の中継用保持部と、を備えてもよく、コネクタ本体は、第二方向に並ぶ複数の第一端子と、第二方向に並ぶ複数の第二端子と、複数の第一端子と複数の第二端子との間に配置された導電性の板状部材からなるグランドプレートと、グランドプレートを包んで複数の第一端子及び複数の第二端子をそれぞれ絶縁状態で保持する保持部と、を備えてもよく、中継用接続部は、複数の第一中継用端子を第一方向の一方側から複数の第一端子にそれぞれ接触させ、複数の第二中継用端子を第一方向の他方側から複数の第二端子にそれぞれ接触させ、グランド端子をグランドプレートに接触させてもよい。
【００１８】
グランド端子は、複数の第一中継用端子及び複数の第二中継用端子が対向する方向で重なる領域の外に配置されており、グランドプレートは、複数の第一端子及び複数の第二端子が対向する方向で重なる領域から張り出した張出部を有し、中継用接続部はグランド端子を張出部に接触させてもよい。
【００１９】
グランド端子は、第二方向において複数の第一中継用端子及び複数の第二中継用端子よりも外に配置されており、張出部は、第二方向において複数の第一端子及び複数の第二端子よりも外に張り出していてもよい。
【発明の効果】
【００２０】
本開示によれば、設備投資を抑制しつつ、多様な設置環境に適応可能なコネクタを提供することができる。
【図面の簡単な説明】
【００２１】
【図１】コネクタの斜視図である。
【図２】図１のコネクタを逆側から見た斜視図である。
【図３】図２中のＩＩＩ−ＩＩＩ線に沿う断面図である。
【図４】図３中のコネクタ本体及びコネクタ中継体を分離した状態を示す図である。
【図５】図２中のＶ−Ｖ線に沿う断面図である。
【図６】図５中のコネクタ本体及びコネクタ中継体を分離した状態を示す図である。
【図７】コネクタ本体をコネクタ中継体が接続される側から見た斜視図である。
【図８】コネクタ中継体をコネクタ本体が接続される側から見た斜視図である。
【図９】コネクタ中継体の底面図である。
【図１０】コネクタ本体の製造手順を示す斜視図である。
【図１１】コネクタ本体の製造手順を示す斜視図である。
【図１２】コネクタ本体の製造手順を示す斜視図である。
【図１３】コネクタ本体の製造手順を示す斜視図である。
【図１４】コネクタ中継体の製造手順を示す斜視図である。
【図１５】コネクタ中継体の変形例を示す底面図である。
【発明を実施するための形態】
【００２２】
以下、実施形態について、図面を参照しつつ詳細に説明する。説明において、同一要素又は同一機能を有する要素には同一の符号を付し、重複する説明を省略する。
【００２３】
〔コネクタ〕
図１及び図２に示すコネクタ１は、回路基板に設置して用いられるリセプタクルコネクタである。例えばコネクタ１は、例えばＵＳＢ  Ｔｙｐｅ−Ｃ規格のリセプタクルコネクタである。コネクタ１は、回路基板（不図示）の片面に設置され（以下、この面を「設置面」という。）、設置面に平行な方向に沿ってプラグコネクタを着脱可能にするように構成されている。以下において、「上下」は、設置面が上向きとなっている場合の上下を示す。「前後左右」は、相手コネクタとなるプラグコネクタ（不図示）が接続される側を前側とし、それと対向する側を後側とした場合の方向を意味する。
【００２４】
コネクタ１は、所定のコネクタを接続可能なコネクタ本体１００と、コネクタ本体１００と回路基板との間に介在する（すなわちコネクタ本体１００と回路基板との接続に介在する）コネクタ中継体２００と、を備える。上記「所定のコネクタ」は、例えばＵＳＢ  Ｔｙｐｅ−Ｃ規格のプラグコネクタである。
【００２５】
図３及び図４に示すように、コネクタ本体１００は、ベース部１０１と、第一接続部１０２と、第二接続部１０３とを有する。
【００２６】
第一接続部１０２は、ベース部１０１の前側に設けられている。第一接続部１０２には、上記プラグコネクタを前方から接続可能である。プラグコネクタは、第一接続部１０２への接続により、コネクタ本体１００と電気的に接続される。
【００２７】
第二接続部１０３は、ベース部１０１の後側に設けられている。第二接続部１０３は、コネクタ中継体２００の前方からコネクタ中継体２００に接続可能である。コネクタ中継体２００への第二接続部１０３の接続により、コネクタ本体１００とコネクタ中継体２００とが電気的に接続される。
【００２８】
以下、コネクタ本体１００の構造を例示する。コネクタ本体１００は、複数の第一端子１１０と、複数の第二端子１２０と、第一グランドプレート１３０と、第二グランドプレート１４０と、第三グランドプレート１５０と、保持部１６０と、シェル１７０とを有する。第一端子１１０及び第二端子１２０は金属材料により構成され、導電性を有する。第一端子１１０と第二端子１２０とは、第一方向Ｄ１（例えば上下方向）において互いに対向する。一例として、第一端子１１０は第二端子１２０の上に位置している。
【００２９】
複数の第一端子１１０は、第一方向Ｄ１に直交する第二方向Ｄ２（例えば左右方向）に沿って並んでいる（図７参照）。第一端子１１０は、第一部分１１１及び第二部分１１２を有する。第一部分１１１は、第一接続部１０２及びベース部１０１に亘って前後方向に延びている。第二部分１１２は、第一部分１１１の後端に連なり、第二接続部１０３に位置する。
【００３０】
第二部分１１２は、接触部１１３と、連結部１１４と、導入部１１５とを含む。接触部１１３は、コネクタ中継体２００に対して電気的に接続される部分である。連結部１１４は、第一部分１１１と接触部１１３との間に介在し、上方に膨らむように湾曲している。連結部１１４は、コネクタ中継体２００との接続時に弾性変形し、その反発力によって接触部１１３を下方に押し付けるように機能する。導入部１１５は、接触部１１３から更に後方に延びており、後方へ向かうに従って第二端子１２０から遠ざかるように（上方に向かうように）傾斜しており、コネクタ中継体２００との接続における案内部として機能する。
【００３１】
複数の第二端子１２０は、第二方向Ｄ２に沿って並んでいる（図７参照）。第一部分１２１は、第一接続部１０２及びベース部１０１に亘って前後方向に延びている。第二部分１２２は、第一部分１２１の後端に連なり、第二接続部１０３に位置する。
【００３２】
第二部分１２２は、接触部１２３と、連結部１２４と、導入部１２５とを含む。接触部１２３は、コネクタ中継体２００に対して電気的に接続される部分である。連結部１２４は、第一部分１２１と接触部１２３との間に介在し、下方に膨らむように湾曲している。連結部１２４は、コネクタ中継体２００との接続時に弾性変形し、その反発力によって接触部１２３を上方に押し付けるように機能する。導入部１２５は、接触部１２３から更に後方に延びており、後方へ向かうに従って第一端子１１０から遠ざかるように（下方に向かうように）傾斜しており、コネクタ中継体２００との接続における案内部として機能する。
【００３３】
第一グランドプレート１３０、第二グランドプレート１４０及び第三グランドプレート１５０は金属の板状部材からなり、導電性を有する。第一グランドプレート１３０は、図１１に示すように、複数の第一端子１１０と複数の第二端子１２０との間に配置される。例えば第一グランドプレート１３０は、図１０に示すように、本体部１３１と、張出部１３２，１３３とを含む。
【００３４】
本体部１３１は、複数の第一端子１１０と、複数の第二端子１２０との間を仕切るように前後方向及び左右方向に広がっている。図７に示すように、張出部１３２，１３３は、複数の第一端子１１０及び複数の第二端子１２０が対向する方向（上下方向）で重なる領域（すなわち、複数の第一端子１１０及び複数の第二端子１２０と重なる領域）から張り出している。
【００３５】
例えば張出部１３２，１３３は、図７に示すように後方から見て、第二方向Ｄ２において複数の第一端子１１０及び複数の第二端子１２０よりも外に張り出している。張出部１３２は、本体部１３１の後端部分から左方に張り出した第一部分１３４と、第一部分１３４から後方に張り出した第二部分１３５とを含む。張出部１３３は、本体部１３１の後端部分から右方に張り出した第一部分１３６と、第一部分１３６から後方に張り出した第二部分１３７とを含む。
【００３６】
図３及び図４に戻り、第二グランドプレート１４０は、第一グランドプレート１３０との間に複数の第一端子１１０を挟むように配置される。例えば第二グランドプレート１４０は、第一部分１４１と第二部分１４２とを含む。第一部分１４１は、上方から複数の第一端子１１０に対向するように、前後方向及び左右方向に広がっている。第二部分１４２は、第一部分１４１の後端に連なり、第一部分１４１よりも更に上方に膨出している。
【００３７】
第三グランドプレート１５０は、第一グランドプレート１３０との間に複数の第二端子１２０を挟むように配置される。例えば第三グランドプレート１５０は、第一部分１５１と第二部分１５２とを含む。第一部分１５１は、下方から複数の第二端子１２０に対向するように、前後方向及び左右方向に広がっている。第二部分１５２は、第一部分１５１の後端に連なり、第一部分１５１よりも更に下方に膨出している。
【００３８】
保持部１６０は、第一グランドプレート１３０を包んで複数の第一端子１１０及び複数の第二端子１２０をそれぞれ絶縁状態で保持する。例えば保持部１６０は、電気絶縁性の材料（例えば樹脂材料）により構成されており、複数の第一端子１１０と第一グランドプレート１３０との間、複数の第一端子１１０と第二グランドプレート１４０との間、複数の第二端子１２０と第一グランドプレート１３０との間、及び複数の第二端子１２０と第三グランドプレート１５０との間に介在する。これにより、複数の第一端子１１０と第一グランドプレート１３０との間、複数の第一端子１１０と第二グランドプレート１４０との間、複数の第二端子１２０と第一グランドプレート１３０との間、及び複数の第二端子１２０と第三グランドプレート１５０との間がそれぞれ電気的に絶縁されている。
【００３９】
また、保持部１６０は、隣り合う第一端子１１０の間に隙間を保つように複数の第一端子１１０を保持し、隣り合う第二端子１２０の間に隙間を保つように複数の第二端子１２０を保持する。これにより、隣り合う第一端子１１０の間、及び隣り合う第二端子１２０の間がそれぞれ電気的に絶縁されている。
【００４０】
保持部１６０は、ベース部１６１と、ベース部１６１から前方に突出した第一突出部１６３と、第一突出部１６３から更に前方に突出した第二突出部１６４とを含む。
【００４１】
ベース部１６１は、複数の第一端子１１０の第一部分１１１と、複数の第二端子１２０の第一部分１２１と、第一グランドプレート１３０とを包む。ベース部１６１の上面１６１ａは、第二グランドプレート１４０の第二部分１４２を上方に露出させた状態で保持する。ベース部１６１の下面１６１ｂは、第三グランドプレート１５０の第二部分１５２を下方に露出させた状態で保持する。
【００４２】
第一突出部１６３は、複数の第一端子１１０の第一部分１１１と、複数の第二端子１２０の第一部分１２１と、第一グランドプレート１３０とを包む。第一突出部１６３の上面１６３ａは、第二グランドプレート１４０の第一部分１４１を上方に露出させた状態で保持する。第一突出部１６３の下面１６３ｂは、第三グランドプレート１５０の第一部分１５１を下方に露出させた状態で保持する。
【００４３】
第二突出部１６４は、第一グランドプレート１３０を包む。第二突出部１６４の上面１６４ａは、複数の第一端子１１０の第一部分１１１を上方に露出させた状態で保持する。第二突出部１６４の下面１６４ｂは、複数の第二端子１２０の第一部分１２１を下方に露出させた状態で保持する。
【００４４】
ベース部１６１は、上述したベース部１０１の一部を構成し、第一突出部１６３及び第二突出部１６４は、上述した第一接続部１０２の一部を構成する。第一接続部１０２は、第二突出部１６４において露出した複数の第一端子１１０の第一部分１１１及び複数の第二端子１２０の第一部分１２１をプラグコネクタの複数の端子（不図示）にそれぞれ接触させる。第一端子１１０の第二部分１１２と、第二端子１２０の第二部分１２２と、第一グランドプレート１３０の張出部１３２，１３３とは、ベース部１６１の後面より後ろに位置し、上記第二接続部１０３の一部を構成する。
【００４５】
シェル１７０は、コネクタ本体１００の外殻を構成する。シェル１７０は、金属材料により構成され、導電性を有する。例えばシェル１７０は、図７に示すように、本体部１７１と、複数の接合代１７２と、基板接続部１７３，１７４とを含む。
【００４６】
本体部１７１は、前後方向に沿った筒状体であり、保持部１６０を包囲する。本体部１７１の上部は第二グランドプレート１４０の第二部分１４２に接触し、本体部１７１の下部は第三グランドプレート１５０の第二部分１５２に接触している。これにより、第二グランドプレート１４０及び第三グランドプレート１５０とシェル１７０とが電気的に接続されている。
【００４７】
また、図７に示すように後方から見て、本体部１７１の左部は張出部１３２の第一部分１３４の端部に接触し、本体部１７１の右部は張出部１３３の第一部分１３６の端部に接触している。これにより、第一グランドプレート１３０とシェル１７０とが電気的に接続されている。
【００４８】
複数の接合代１７２は、本体部１７１の周方向の複数個所からそれぞれ後方に張り出している。基板接続部１７３，１７４は、本体部１７１の左右にそれぞれ設けられた脚状部分であり、回路基板への固定に利用可能である。例えば、基板接続部１７３，１７４は、回路基板のグランド用の導電路に半田付け等により固定される。
【００４９】
図３〜図６に示すように、コネクタ中継体２００は、ベース部２０１と、中継用接続部２０２と、基板接続部２０３とを有する。
【００５０】
中継用接続部２０２は、ベース部２０１の前側に設けられている。中継用接続部２０２には、上記コネクタ本体１００を前方から接続可能である。コネクタ本体１００は、中継用接続部２０２への接続により、コネクタ中継体２００と電気的に接続される。
【００５１】
基板接続部２０３は、ベース部２０１の下側に設けられている。基板接続部２０３は、上方から回路基板に接続可能である。回路基板への基板接続部２０３の接続により、回路基板とコネクタ中継体２００とが電気的に接続される。
【００５２】
以下、コネクタ中継体２００の構造を例示する。コネクタ中継体２００は、複数の第一中継用端子２１０と、複数の第二中継用端子２２０と、二つのグランド端子２３０と、中継用保持部２４０と、第一シェル２６０と、第二シェル２７０とを有する。
【００５３】
第一中継用端子２１０及び第二中継用端子２２０は金属材料により構成され、導電性を有する。第一中継用端子２１０と第二中継用端子２２０とは、第一方向Ｄ１において互いに対向する。一例として、第一中継用端子２１０は第二中継用端子２２０の上に位置している。コネクタ本体１００の第一端子１１０と第二端子１２０とが、第一グランドプレート１３０を介して対向しているのに対し、第一中継用端子２１０と第二中継用端子２２０とは、他の導電性の部材を介することなく対向している。
【００５４】
複数の第一中継用端子２１０は、第二方向Ｄ２に沿って並んでいる（図８参照）。第一中継用端子２１０は、第一部分２１１及び第二部分２１２を有する。第一部分２１１は、中継用接続部２０２及びベース部２０１に亘って前後方向に延びている。第二部分２１２は、第一部分２１１の後端から下方に延び、その下端部は基板接続部２０３に位置している。
【００５５】
複数の第二中継用端子２２０は、第二方向Ｄ２に沿って並んでいる。第二中継用端子２２０は、第一部分２２１及び第二部分２２２を有する。第一部分２２１は、中継用接続部２０２及びベース部２０１に亘って前後方向に延びている。第二部分２２２は、第一部分２２１の後端から下方に延び、その下端部は基板接続部２０３に位置している。
【００５６】
第一中継用端子２１０の第二部分２１２及び第二中継用端子２２０の第二部分２２２の基板接続部２０３における配置等は、回路基板の回路パターンに応じて設定されている。第二部分２１２，２２２の下端部は、例えば、回路基板に形成されたスルーホールへの挿入を可能とすべく下方に突出していてもよいし、回路基板の設置面への接続を可能とすべく屈曲していてもよい。
【００５７】
例えば図９に示すように、第一中継用端子２１０の第二部分２１２は、第二中継用端子２２０の第二部分２２２よりも後方に位置している。複数の第二部分２１２は、左右方向に沿って並んでおり、それぞれの下端部は後方に屈曲している。複数の第二部分２２２は、左右方向に沿って千鳥状に並んでおり（すなわち、前後方向における位置を交互にずらしつつ左右方向に並んでおり）、それぞれの下端部は下方に突出している。
【００５８】
グランド端子２３０は金属の板状部材からなり、導電性を有する。グランド端子２３０は、複数の第一端子１１０及び複数の第二端子１２０が対向する方向（上下方向）で重なる領域（すなわち、複数の第一中継用端子２１０及び複数の第二中継用端子２２０と重なる領域）の外に配置されている。例えばグランド端子２３０は、第二方向Ｄ２において複数の第一中継用端子２１０及び複数の第二中継用端子２２０よりも外に配置されている。より具体的に、一つのグランド端子２３０は複数の第一中継用端子２１０及び複数の第二中継用端子２２０よりも左に配置されており、他の一つのグランド端子２３０は複数の第一中継用端子２１０及び複数の第二中継用端子２２０よりも右に配置されている。
【００５９】
図５及び図６に示すように、グランド端子２３０は、第一部分２３１、第二部分２３２、第三部分２３３及び第四部分２３４を有する。第一部分２３１は、ベース部２０１において上下方向に延び、その下端部は基板接続部２０３に位置している。
【００６０】
第二部分２３２及び第三部分２３３は上下に並び、それぞれ第一部分２３１から前方に突出している。第二部分２３２及び第三部分２３３の先端部は、中継用接続部２０２に位置している。後述のように、第二部分２３２及び第三部分２３３は、上記第一グランドプレート１３０の張出部１３２，１３３を挟む。第二部分２３２の先端部の内縁（第三部分２３３側の縁）は、第三部分２３３に向けて膨らんでおり、この部分が張出部１３２，１３３の上面に接触する。以下、この部分を接触部２３２ａという。第三部分２３３の先端部の内縁（第二部分２３２側の縁）は、第二部分２３２に向けて膨らんでおり、この部分が張出部１３２の下面に接触する。以下、この部分を接触部２３３ａという。
【００６１】
第四部分２３４は、第二部分２３２及び第三部分２３３よりも下に位置し、第一部分２３１から前方に突出している。後述のように、第四部分２３４は、グランド端子２３０の位置決めに用いられる。
【００６２】
中継用保持部２４０は、複数の第一中継用端子２１０、複数の第二中継用端子２２０、及びグランド端子２３０をそれぞれ絶縁状態で保持する。例えば中継用保持部２４０は、電気絶縁性の材料（例えば樹脂材料）により構成されており、複数の第一中継用端子２１０と複数の第二中継用端子２２０との間、複数の第一中継用端子２１０とグランド端子２３０との間、及び複数の第二中継用端子２２０とグランド端子２３０との間に介在する。これにより、複数の第一中継用端子２１０と複数の第二中継用端子２２０との間、複数の第一中継用端子２１０とグランド端子２３０との間、及び複数の第二中継用端子２２０とグランド端子２３０との間がそれぞれ電気的に絶縁されている。
【００６３】
また、中継用保持部２４０は、隣り合う第一中継用端子２１０同士の間に隙間を保つように複数の第一中継用端子２１０を保持し、隣り合う第二中継用端子２２０の間に隙間を保つように複数の第二中継用端子２２０を保持する。これにより、隣り合う第一中継用端子２１０の間、及び隣り合う第二中継用端子２２０の間がそれぞれ電気的に絶縁されている。
【００６４】
中継用保持部２４０は、ベース部２４１と、ベース部２４１から前方に突出した突出部２４２と、ベース部２４１から前方に突出して突出部２４２を囲む周壁部２４３と、周壁部２４３の前面に形成された第一溝部２４５，２４６（図８参照）と、ベース部２４１の後面に形成された第二溝部２５１，２５２（図１４参照）とを有する。
【００６５】
ベース部２４１は、左右方向に延びており、複数の第一中継用端子２１０及び複数の第二中継用端子２２０を保持する。ベース部２４１は、各第一中継用端子２１０の第一部分２１１及び第二部分２１２の回路基板への接続部を除いた部分を包み、各第二中継用端子２２０の第一部分２２１及び第二部分２２２の回路基板への接続部を除いた部分を包む。
【００６６】
突出部２４２は、複数の第一部分２１１と、複数の第一部分２２１との間に介在する。突出部２４２の上面２４２ａは、複数の第一部分２１１を上方に露出させた状態で保持する。突出部２４２の下面２４２ｂは、複数の第一部分２２１を下方に露出させた状態で保持する。
【００６７】
周壁部２４３は、突出部２４２との間に、空間２４４を構成する。空間２４４は、第一端子１１０の第二部分１１２及び第二端子１２０の第二部分１２２を受け入れる。
【００６８】
第一溝部２４５，２４６は、前方から見て、周壁部２４３の右部及び左部にそれぞれ形成されている。第一溝部２４５，２４６は左右方向に沿い、前方及び空間２４４に開放されている（図８参照）。第一溝部２４５，２４６は、上記第一グランドプレート１３０の張出部１３２，１３３をそれぞれ受け入れる。
【００６９】
第二溝部２５１，２５２は、図２に示すように後方から見て、ベース部２４１の左部及び右部にそれぞれ形成されている。第二溝部２５１，２５２は、上下方向に沿い、後方及び下方に開放されている。
【００７０】
第二溝部２５１，２５２の底部（第二溝部２５１，２５２内の前側部分）は、図６に示すように、周壁部２４３に達しており、隔壁２５３によって上側の第一空間２５４及び下側の第二空間２５５に区画されている。第二溝部２５１の第一空間２５４は、第一溝部２４５と交わり、第二溝部２５２の第一空間２５４は第一溝部２４６と交わっている。
【００７１】
第二溝部２５１，２５２は、図６及び図１４に示すように、グランド端子２３０を収容する。第一空間２５４は、グランド端子２３０の第二部分２３２及び第三部分２３３を収容する。第二空間２５５は、グランド端子２３０の第四部分２３４を収容する。第二空間２５５に第四部分２３４が圧入されることにより、第二溝部２５１，２５２内におけるグランド端子２３０の位置が定まる。
【００７２】
グランド端子２３０は、第二溝部２５１，２５２に後方から挿入（圧入）される。第二溝部２５１，２５２は、グランド端子２３０を下方から挿入（圧入）し得るように構成されていてもよい。
【００７３】
ベース部２４１は、図４、図８及び図１４に示すように、上述したベース部２０１の一部を構成し、突出部２４２、周壁部２４３、空間２４４、第一溝部２４５，２４６及び第二溝部２５１，２５２は、上述した中継用接続部２０２を構成する。第一中継用端子２１０の第二部分２１２の下端部、第二中継用端子２２０の第二部分２２２の下端部、及びグランド端子２３０の第一部分２３１の下端部は、ベース部２４１の下面より下に位置し、上記基板接続部２０３を構成する。
【００７４】
中継用接続部２０２は、コネクタ本体１００の第二接続部１０３に接続され、複数の第一中継用端子２１０を第一方向Ｄ１の一方側から複数の第一端子１１０にそれぞれ接触させ、複数の第二中継用端子２２０を第一方向Ｄ１の他方側から複数の第二端子１２０にそれぞれ接触させ、グランド端子２３０を第一グランドプレート１３０に接触させる。
【００７５】
換言すると、第二接続部１０３は、中継用接続部２０２に接続され、複数の第一端子１１０を第一方向Ｄ１の一方側から複数の第一中継用端子２１０にそれぞれ接触させ、複数の第二端子１２０を第一方向Ｄ１の他方側から複数の第二中継用端子２２０にそれぞれ接触させ、第一グランドプレート１３０をグランド端子２３０に接触させる。
【００７６】
具体的に、中継用接続部２０２の空間２４４は、複数の第一端子１１０の第二部分１１２、及び複数の第二端子１２０の第二部分１２２を前方から受け入れる。中継用接続部２０２の突出部２４２は、複数の第一中継用端子２１０の第一部分２１１、及び複数の第二中継用端子２２０の第一部分２２１と共に、後方から複数の第二部分１１２及び複数の第二部分１２２の間に挿入され、複数の第一部分２１１を下方から複数の第二部分１１２にそれぞれ接触させ、複数の第一部分２２１を上方から複数の第二部分１２２にそれぞれ接触させる。
【００７７】
中継用接続部２０２の第一溝部２４５，２４６は、図７に示す第一グランドプレート１３０の張出部１３２，１３３をそれぞれ受け入れる。第一溝部２４５は、図５に示すように、第二溝部２５１の第一空間２５４との交差部まで張出部１３２を導入する。これにより、グランド端子２３０が張出部１３２に接触する。具体的には、張出部１３２がグランド端子２３０の第二部分２３２及び第三部分２３３の間に進入し、第二部分２３２の接触部２３２ａが張出部１３２の上面に接触し、第三部分２３３の接触部２３３ａが張出部１３２の下面に接触する。同様に、第一溝部２４６は、第二溝部２５２の第一空間２５４との交差部まで張出部１３３を導入し、これによりグランド端子２３０が張出部１３３に接触する。すなわち、中継用接続部２０２はグランド端子２３０を張出部１３２，１３３に接触させ、第二接続部１０３は張出部１３２，１３３をグランド端子２３０に接触させる。
【００７８】
基板接続部２０３は、回路基板と電気的に接続される。例えば、第一中継用端子２１０の第二部分２１２の下端部は、回路基板の回路に、半田付け等によって電気的に接続される。第二中継用端子２２０の第二部分２２２の下端部も、回路基板の回路に、半田付け等によって電気的に接続される。グランド端子２３０の第一部分２３１の下端部は、回路基板の回路のグランド用の導電路に、半田付け等によって電気的に接続される。
【００７９】
第一シェル２６０及び第二シェル２７０は、コネクタ中継体２００の外殻を構成する。第一シェル２６０及び第二シェル２７０は、金属材料により構成され、導電性を有する。
【００８０】
第一シェル２６０は、図２及び図８に示すように、本体部２６１と、基板接続部２６２，２６３とを含む。本体部２６１は、ベース部２４１の上面、左面及び右面を覆う。基板接続部２６２，２６３は、図２に示すように後方から見て、本体部２６１の左部及び右部からそれぞれ下方に突出しており、回路基板への固定に利用可能である。例えば、基板接続部２６２，２６３は、回路基板のグランド用の導電路に半田付け等により固定される。第二シェル２７０は、ベース部２４１の下面を覆う。
【００８１】
第二接続部１０３と中継用接続部２０２とが接続された状態において、第一シェル２６０及び第二シェル２７０には、シェル１７０の接合代１７２が接触する。これにより、シェル１７０と、第一シェル２６０及び第二シェル２７０とが電気的に接続される。溶接又はロー付け等により、接合代１７２を第一シェル２６０及び第二シェル２７０に固定してもよい。
【００８２】
〔コネクタの製造手順〕
続いて、コネクタ本体１００及びコネクタ中継体２００の製造手順を例示する。
【００８３】
（コネクタ本体の製造手順）
上述したように、コネクタ本体１００の複数の第一端子１１０と複数の第二端子１２０とは、第一グランドプレート１３０を介して対向している。このように、複数の端子と複数の端子とが導電性の板状部材を介して対向する構成の製造には、複数の端子と複数の端子とが他の導電性部材を介さずに対向する構成の製造に比較して、複雑な設備が求められる傾向がある。例えば、インサート成形中における各端子及び板状部材との位置ずれを防止すべく、インサート成形を複数回に分けて実行することが必要となる場合がある。この場合、複数回のインサート成形用に複数組の金型が必要となる。
【００８４】
以下、コネクタ本体１００の製造手順が複数回のインサート成形を含む場合を例示する。まず、第一のインサート成形を行う。具体的には、第一グランドプレート１３０及び複数の第二端子１２０を第一の金型内に位置決めした状態にて、保持部１６０用の樹脂材料を第一の金型内に射出する。これにより、第一グランドプレート１３０及び複数の第二端子１２０を保持部１６０の中間成形物により一体化した第一成形体Ｍ１が得られる（図１０参照）。
【００８５】
次に、第二のインサート成形を行う。具体的には、第一成形体Ｍ１及び複数の第一端子１１０を第二の金型内に位置決めした状態にて（図１１参照）、保持部１６０用の樹脂材料を第二の金型内に射出する。これにより、複数の第一端子１１０、第一グランドプレート１３０及び複数の第二端子１２０を保持部１６０により一体化した第二成形体Ｍ２が得られる（図１２参照）。
【００８６】
次に、第二成形体Ｍ２の上下に第二グランドプレート１４０及び第三グランドプレート１５０をそれぞれ装着し（図１３参照）、更に第二成形体Ｍ２、第二グランドプレート１４０及び第三グランドプレート１５０にシェル１７０を装着する。以上でコネクタ本体１００が完成する。
【００８７】
（コネクタ中継体の製造手順）
上述したように、複数の第一中継用端子２１０と複数の第二中継用端子２２０とは、他の導電性の部材を間に介在させることなく対向している。このため、コネクタ中継体２００は、コネクタ本体１００の製造に比較して単純な設備で製造し得る。例えば、コネクタ中継体２００の製造手順においては、コネクタ本体１００の製造手順に比較してインサート成形の回数を削減し得る。
【００８８】
以下、コネクタ中継体２００の製造手順におけるインサート成形が一回である場合を例示する。まず、当該インサート成形により、複数の第一中継用端子２１０、複数の第二中継用端子２２０、第一シェル２６０、及び第二シェル２７０を一体化する。具体的には、複数の第一中継用端子２１０、複数の第二中継用端子２２０、第一シェル２６０、第二シェル２７０を金型内に位置決めした状態にて、中継用保持部２４０用の樹脂材料を当該金型内に射出する。これにより、複数の第一中継用端子２１０、複数の第二中継用端子２２０、第一シェル２６０、複数の第二シェル２７０を中継用保持部２４０により一体化した第一成形体Ｍ１１が得られる（図１４参照）。
【００８９】
次に、中継用保持部２４０の第二溝部２５１，２５２のそれぞれに、後方からグランド端子２３０を挿入し（図１４参照）、グランド端子２３０の第四部分２３４を第二空間２５５に圧入し、グランド端子２３０の第二部分２３２及び第三部分２３３を第一空間２５４内に収容する。以上でコネクタ中継体２００が完成する。
【００９０】
〔本実施形態の効果〕
以上に説明したように、コネクタ１は、コネクタ本体１００と、コネクタ本体１００と回路基板との間に介在するコネクタ中継体２００と、を備える。コネクタ本体１００は、第一方向Ｄ１において互いに対向する導電性の第一端子１１０及び第二端子１２０と、所定のコネクタを電気的に接続可能な第一接続部１０２と、コネクタ中継体２００と電気的に接続される第二接続部１０３と、を有する。コネクタ中継体２００は、第一方向Ｄ１において互いに対向する導電性の第一中継用端子２１０及び第二中継用端子２２０と、第二接続部１０３に接続され、第一中継用端子２１０を第一方向Ｄ１の一方側から第一端子１１０に接触させ、第二中継用端子２２０を第一方向Ｄ１の他方側から第二端子１２０に接触させる中継用接続部２０２と、を有する。
【００９１】
コネクタ１は、所定のコネクタを接続可能なコネクタ本体１００と、コネクタ中継体２００とに分離可能である。このため、規格化された所定のコネクタ等に適応させるべきコネクタ本体１００を共通化しつつ、コネクタ中継体２００を回路基板における設置環境に応じて変更することができる。コネクタ本体１００及びコネクタ中継体２００に分離可能な構造によれば、各々の構造を一体型コネクタ（コネクタ本体及びコネクタ中継体が分離不能なコネクタ）に比較して単純化することが可能である。このため、コネクタ中継体２００の多品種化は、一体型コネクタの多品種化に比較して少ない設備投資で実現可能である。従って、設備投資を抑制しつつ、多様な設置環境に適応可能なコネクタ１を提供することができる。
【００９２】
図１５は、コネクタ中継体２００の変形例を示す底面図である。このコネクタ中継体２００においては、複数の第一中継用端子２１０の第二部分２１２及び複数の第二中継用端子２２０の第二部分２２２の両方が左右方向に沿って並んでいる。また、第二部分２１２の下端部及び第二部分２２２の下端部の両方が、回路基板の設置面への接続用に、後方に屈曲している。グランド端子２３０の第一部分２３１の下端部は、回路基板の設置面への接続用に、後方に向けて延在するように形成されている。
【００９３】
基板接続部２０３における端子の配置及び形状を変更するのに加え、中継用接続部２０２に対する基板接続部２０３の高さを変更することで、回路基板に対するコネクタ本体１００の高さを変更することも可能である。
【００９４】
更に、基板接続部２０３に対する中継用接続部２０２の角度を変更し、回路基板に対するコネクタ本体１００の角度を変更することも可能である。例えば、中継用接続部２０２をコネクタ中継体２００の前方ではなく上方に形成してもよい。この場合、第一接続部１０２を上に向けた状態で、コネクタ本体１００を上方から中継用接続部２０２に接続することが可能となる。
【００９５】
以上に例示したように、コネクタ本体１００を共通化しつつ、コネクタ中継体２００を回路基板における設置環境に応じて様々な形態に変更することで、設備投資を抑制しつつ、多様な設置環境に適応可能なコネクタ１を提供することができる。
【００９６】
ここで、コネクタ中継体２００の中継用接続部２０２は、第一中継用端子２１０を第一方向Ｄ１の一方側から第一端子１１０に接触させ、第二中継用端子２２０を第一方向Ｄ１の他方側から第二端子１２０に接触させる。この接続構造によれば、第一端子１１０と第二端子１２０との対向配置、及び第一中継用端子２１０と第二中継用端子２２０との対向配置を、コネクタ本体１００とコネクタ中継体２００との接続部においてもそのまま利用することで、各端子形状を単純化し、設備投資の更なる抑制を図ることができる。
【００９７】
更に、第一中継用端子２１０が第一端子１１０に接触する方向と、第二中継用端子２２０が第二端子１２０に接触する方向とが互いに逆向きであるため、第一中継用端子２１０と第一端子１１０との接触により第二中継用端子２２０と第二端子１２０との離間が防止され、第二中継用端子２２０と第二端子１２０との接触により第一中継用端子２１０と第一端子１１０との離間が防止される。このように、第一端子１１０及び第一中継用端子２１０の組と、第二端子１２０及び第二中継用端子２２０の組とで、相互に離間を防止し合う構成により、第一接続部１０２及び中継用接続部２０２の構造を単純化し、設備投資の更なる抑制を図ることもできる。
【００９８】
なお、中継用接続部２０２は、第一中継用端子２１０を第一方向Ｄ１の一方側から第一端子１１０に接触させ、第二中継用端子２２０を第一方向Ｄ１の他方側から第二端子１２０に接触させる限り、どのように構成されていてもよい。例えば中継用接続部２０２は、第一中継用端子２１０を下方から第一端子１１０に接触させ、第二中継用端子２２０を上方から第二端子１２０に接触させる上記構成に代えて、第一中継用端子２１０を上方から第一端子１１０に接触させ、第二中継用端子２２０を下方から第二端子１２０に接触させるように構成されていてもよい。
【００９９】
コネクタ本体１００は、第一方向Ｄ１に直交する第二方向Ｄ２に並ぶ複数の第一端子１１０と、第二方向Ｄ２に並ぶ複数の第二端子１２０と、複数の第一端子１１０と複数の第二端子１２０との間に配置された導電性の板状部材からなる第一グランドプレート１３０と、第一グランドプレート１３０を包んで複数の第一端子１１０及び複数の第二端子１２０をそれぞれ絶縁状態で保持する保持部１６０と、を有してもよい。コネクタ中継体２００は、第二方向Ｄ２に並ぶ複数の第一中継用端子２１０と、第二方向Ｄ２に並ぶ複数の第二中継用端子２２０と、導電性のグランド端子２３０と、複数の第一中継用端子２１０、複数の第二中継用端子２２０、及びグランド端子２３０をそれぞれ絶縁状態で保持する中継用保持部２４０と、を有してもよい。中継用接続部２０２は、複数の第一中継用端子２１０を第一方向Ｄ１の一方側から複数の第一端子１１０にそれぞれ接触させ、複数の第二中継用端子２２０を第一方向Ｄ１の他方側から複数の第二端子１２０にそれぞれ接触させ、グランド端子２３０を第一グランドプレート１３０に接触させてもよい。
【０１００】
複数の端子と複数の端子とが導電性の板状部材を介して対向する構成の製造には、複数の端子と複数の端子とが他の導電性の部材を介さずに対向する構成の製造に比較して複雑な設備が必要となる傾向がある。複数の端子と複数の端子とが導電性の板状部材を介して対向する構成を、コネクタ本体１００側に組み込むことにより、コネクタ中継体２００の多品種化の設備投資をより確実に抑制することができる。
【０１０１】
グランド端子２３０は、複数の第一中継用端子２１０及び複数の第二中継用端子２２０が対向する方向（上下方向）で重なる領域の外に配置されていてもよく、第一グランドプレート１３０は、複数の第一端子１１０及び複数の第二端子１２０が対向する方向（上下方向）で重なる領域から張り出した張出部１３２，１３３を有してもよく、中継用接続部２０２は、グランド端子２３０を張出部１３２，１３３に接触させてもよい。この場合、複数の第一中継用端子及び複数の第二中継用端子が対向する方向（上下方向）で重なる領域内にグランド端子を配置するのに比較して、コネクタ中継体をより単純な設備で製造可能となるので、コネクタ中継体の多品種化の設備投資をより確実に抑制することができる。
【０１０２】
例えば、グランド端子２３０は、第二方向Ｄ２において複数の第一中継用端子２１０及び複数の第二中継用端子２２０よりも外に配置されており、張出部１３２，１３３は、第二方向Ｄ２において複数の第一端子１１０及び複数の第二端子１２０よりも外に張り出していてもよい。この場合、コネクタ中継体２００をより単純な設備で製造可能となるので、コネクタ中継体２００の多品種化の設備投資をより確実に抑制することができる。
【０１０３】
なお、この構成は、複数の第一中継用端子２１０及び複数の第二中継用端子２２０が対向する方向（上下方向）で重なる領域の外にグランド端子２３０を配置する構成の一例に過ぎない。例えばグランド端子２３０は、第二方向Ｄ２における第一中継用端子２１０及び第二中継用端子２２０の配列の間に配置されていてもよい。
【０１０４】
以上、実施形態を示したが、本発明は必ずしも上述した実施形態に限定されるものではなく、その要旨を逸脱しない範囲で様々な変更が可能である。
【符号の説明】
【０１０５】
１…コネクタ、１００…コネクタ本体、２００…コネクタ中継体、１０２…第一接続部、１０３…第二接続部、１１０…第一端子、１２０…第二端子、１３０…第一グランドプレート、１６０…保持部、Ｄ１…第一方向、Ｄ２…第二方向、１３２，１３３…張出部、２０２…中継用接続部、２０３…基板接続部、２１０…第一中継用端子、２２０…第二中継用端子、２３０…グランド端子、２４０…中継用保持部。
【図１】
2019029268.tif 000003
【図２】
2019029268.tif 000004
【図３】
2019029268.tif 000005
【図４】
2019029268.tif 000006
【図５】
2019029268.tif 000007
【図６】
2019029268.tif 000008
【図７】
2019029268.tif 000009
【図８】
2019029268.tif 000010
【図９】
2019029268.tif 000011
【図１０】
2019029268.tif 000012
【図１１】
2019029268.tif 000013
【図１２】
2019029268.tif 000014
【図１３】
2019029268.tif 000015
【図１４】
2019029268.tif 000016
【図１５】
2019029268.tif 000017